(57)【要約】【課題】  本発明は、発音機能を有するカードの製造容易性を向上させるとともに基材の厚みを限定されず、利用者、特に目の不自由な方が、聴覚によって複数のカードを簡易的に識別できる発音機能を備えたカード形成体を提案することを目的とする。【解決手段】  ガスバリア性を有する第一の層及び第二の層の間に、第一の層と第二の層を接着するとともに、一部接着されていない空間領域を有する中間層を備えたカード形成体であって、空間領域と、空間領域と同位置の第一の層及び第二の層から発音領域が形成され、発音領域は、空気の出入りによって振動するリード部と、リード部とは異なる位置に空気の出入りをする空気口を有することを特徴とする発音機能を備えたカード形成体。【選択図】  図１
2015203757.tif 000002
【特許請求の範囲】
【請求項１】
ガスバリア性を有する第一の層及び第二の層の間に、前記第一の層と前記第二の層を接着するとともに、一部接着されていない空間領域を有する中間層を備えたカード形成体であって、
前記空間領域と、前記空間領域と同位置の前記第一の層及び前記第二の層から発音領域が形成され、
前記発音領域は、空気の出入りによって振動するリード部と、前記リード部とは異なる位置に空気の出入りをする空気口を有することを特徴とする発音機能を備えたカード形成体。
【請求項２】
前記第一の層、前記第二の層及び前記中間層の透気度が、１５秒以上であることを特徴とする請求項１記載の発音機能を備えたカード形成体。
【請求項３】
一つの前記発音領域において、前記リード部が複数配置され、前記リード部の形状及び/又は大きさが異なることで、前記各リードにおいて異なる音が発生することを特徴とする請求項１又は請求項２記載の発音機能を備えたカード形成体。
【発明の詳細な説明】
【技術分野】
【０００１】
本発明は、身分証明用をはじめとするカード類に関するものであり、聴覚によって簡易的に識別することが可能なカード形成体に関するものである。
【背景技術】
【０００２】
今日、数多くの種類のカードが出回っており、運転免許証、健康保険証、パスポート等の身分証明に関わるカードや、その他に銀行系カード、クレジット系カード、各種会員カード等、多岐にわたるカードが数多く使用されている。また、個人のカード保有量も増加している。
【０００３】
複数のカードを識別する場合の簡易的な方法としては、色彩によって異なるデザインとすることや、エンボス等によって異なる触感とするものがあった。しかし、目の不自由な方にとっては、それらの識別方法は、容易なものではなかった。
【０００４】
なお、これらのカードは、財布やカードケースに常時携帯されているため、カードに付与された機能の一つとして、例えば、地震、洪水、火災、交通事故などの災害によって、外部から遮断されるような緊急の際、警笛を発生することで、救護者らに自分の居場所を知らせることができる警笛機能付きカードが開示されている（例えば、特許文献１参照）。
【先行技術文献】
【特許文献】
【０００５】
【特許文献１】特開２００７−０６２３４２号公報
【発明の開示】
【発明が解決しようとする課題】
【０００６】
しかしながら、特許文献１により開示されている警笛機能付きカードは、空気吹き込み口、空気排出口の他に空気たまり口を必須としているため、一般的なカードの厚み（０．７６ｍｍ）では、製造が困難であり、ある程度の厚みを有するという制限があった。
【０００７】
また、災害において確実に警笛を発生することを可能としたものであって、複数のカードを識別するものではなかった。
【０００８】
本発明は、前述した課題の解決を目的とするものであり、発音機能を有するカードの製造容易性を向上させるとともに基材の厚みを限定されず、利用者、特に目の不自由な方が、聴覚によって複数のカードを簡易的に識別できるカード形成体を提案することを目的とする。
【課題を解決するための手段】
【０００９】
本発明の発音機能を備えたカード形成体は、ガスバリア性を有する第一の層及び第二の層の間に、第一の層と第二の層を接着するとともに、一部接着されていない空間領域を有する中間層を備えたカード形成体であって、空間領域と、空間領域と同位置の第一の層及び第二の層から発音領域が形成され、発音領域は、空気の出入りによって振動するリード部と、リード部とは異なる位置に空気の出入りをする空気口を有することを特徴とする。
【００１０】
本発明の発音機能を備えたカード形成体は、第一の層、第二の層及び中間層の透気度が、１５秒以上であることを特徴とする。
【００１１】
本発明の発音機能を備えたカード形成体は、一つの発音領域において、リード部が複数配置され、リード部の形状及び／又は大きさが異なることで、異なる音が発生することを特徴とする。
【発明の効果】
【００１２】
本発明の発音機能を備えたカード形成体は、利用者、特に目の不自由な方が、近似したデザインのカードを識別する際に、聴覚によって簡易的に識別できる。また、発音させるための構造の一つである空気たまり口を設けずにリード部を設けることで、一般的なカードの厚み（０．７６ｍｍ）においても、基材の厚みが限定されず簡易な製造が可能である。
【図面の簡単な説明】
【００１３】
【図１】本発明における発音機能を備えたカード形成体の一例を示す。
【図２】本発明におけるカード形成体の発音原理を示す。
【図３】本発明におけるカード形成体の別形態を示す（リード複数、上下）。
【図４】本発明におけるカード形成体の別形態を示す（リード複数、片側）。
【図５】本発明におけるカード形成体の別形態を示す（リード複数、吸気／排気）。
【図６】本発明におけるカード形成体の別形態を示す（空気口の位置）。
【図７】本発明におけるカード形成体の実施例を示す。
【発明を実施するための形態】
【００１４】
本発明を実施するための形態について、図面を参照して説明する。しかしながら、本発明は、以下に述べる実施するための形態に限定されるものではなく、特許請求の範囲記載における技術的思想の範囲内であれば、その他のいろいろな実施の形態が含まれる。
【００１５】
図１は、本発明におけるカード形成体（１）の一例を示す図である。図１（ａ）に示すのは、カード形成体（１）の正面図であり、図１（ｂ）に示すのは、形成体（１）のＡＡ´ラインにおける断面図である。
【００１６】
カード形成体（１）は、第一の層（２）と第二の層（３）で中間層（４）をサンドイッチした積層構造となっており、中間層（４）はカード形成体（１）の端部から一部分切り欠かれており、前述した切り欠かれた部分の第一の層（２）と第二の層（３）によって、発音領域（５）が形成され、この発音領域（５）には、リード部（６）と空気口（７）が形成されている。
【００１７】
第一の層（２）、第二の層（３）及び中間層（４）は、積層によってカード形成体（１）が形成できるシート状の基材であり、ガスバリア性を有する基材であれば、紙であってもプラスチックであっても、金属等であってもよく、その材質は問わない。本発明において、ガスバリア性とは、気体の通りにくさを示すものである。紙等の繊維状物質で形成された多孔質基材については、一般的なコピー用紙程度以上のガスバリア性を有することが望ましく、ＪＩＳ規格Ｐ８１１７に基づく透気度試験を行った場合に、１５秒/１００ｍｌ以上の透気度を有していればよい。
【００１８】
また、第一の層（２）、第二の層（３）については、空気の流れによって振動するリード部（６）を形成するため、適度の弾性を持つことが必要であり、一般的なカードの基材として用いられているポリ塩化ビニルやＡＢＳ、ＰＥＴ、ポリカーボネート、ＰＥＴＧの場合、０．１ｍｍ程度の厚みが好ましいが、リード部（６）のサイズに合わせて、選定すればよい。
【００１９】
中間層（４）は、第一の層（２）と第二の層（３）を接着するとともに、一部接着されていない空間領域（４ａ）を有してなる。本発明において接着とは、第一の層（２）と第二の層（３）とに接触した状態で積層できればよいことを示す。中間層（４）の材質については、ガスバリア性を有する基材であって、空気口（７）から吸気あるいは排気される空気の流れを遮るものであれば特に限定されるものではない。
【００２０】
クレジットカードやＩＤカードの厚みは０．７６ｍｍであり、板状の基材を一部分削って発音領域（５）の空間を形成するのは困難である。射出成型によって発音領域（５）の空間を形成する方法も考えられるが、プラスチック素材であっても、射出成型に適した材料は限定されてしまう（ＡＢＳ樹脂は射出成型可能だが、一般的なカード基材であるＰＥＴＧやポリカーボネートは不可能）。そのため、製造の容易さや基材の選択の多様性を考慮し、本発明は積層体として構成する。
【００２１】
発音領域（５）は、空間領域（４ａ）とこの空間領域（４ａ）と同位置の第一の層（２）の一部及び第二の層（３）の一部及び中間層（４）からなる領域であって、リード部（６）及び空気口（７）を有する。空間領域（４ａ）は、部分的に切り欠かれた中間層（４）と第一の層（２）、第二の層（３）に囲まれた中空領域であり、この領域以外の第一の層（２）、第二の層（３）は、中間層（４）に接着されている。リード部（６）は、空間領域（４ａ）の第一の層（２）及び／又は第二の層（３）に、図１（ａ）に示すような切り込みで形成される。
【００２２】
リード部（６）は空気口（７）から吸気あるいは排気される空気の流れによって振動するため、図１（ａ）に示すように、一辺は第一の層（２）及び／又は第二の層（３）に固定され、それ以外の端部はカード形成体（１）と接触していないことが必要である。リード部（６）の第二の層（３）と固定された端部の向かい側の端部は、リード部（６）を振動させる空気が主に通過する領域であるため、この部分の間隙は０．１ｍｍ程度であることが望ましく、それ以外の端部はリード部（６）の振動を阻害しないよう０．０３ｍｍ程度の間隙が望ましい。
【００２３】
リード部（６）は、発音領域（５）内のカード形成体（１）を構成する基材の一部であり、発音領域（５）に空気口（７）を介して吸気あるいは排気された空気の流れによって振動し発音するものであり、発音の原理は、ハーモニカ等のリードを用いた楽器と同じ原理である。
【００２４】
図１においては、リード部（６）は、発音領域（５）の第二の層（３）の一部切り込みによって形成されているが、これに限定されるものではない。リード部（６）は、発音領域（５）の第一の層（２）の一部や、中間層（４）の一部に形成してもよく、第一の層（２）及び／又は第二の層（３）にリード部（６）を形成してもよい。なお、リード部（６）は、空気の流れによって振動し発音するものであれば、第一の層（２）、第二の層（３）及び中間層（４）と異なる材質であっても発音は可能である。
【００２５】
リード部（６）を複数形成した場合、それぞれに異なる音を発音するリードとすることで、和音を発音させることも可能となる。また、発音領域（５）に空気口（７）を介して吸気された空気の流れによって発音するリードと排気された空気の流れによって発音するリードを配することも可能である。
【００２６】
特許文献１に記載されている空気たまり口によって和音を発音させる場合は、複数の空気たまり口をカード内部に設けることとなり、製造上困難であるといえる。一方、本発明においては、カード内に複数の発音領域（５）を設けることや、一つの発音領域に複数のリード部（６）を設けることも製造が容易である。
【００２７】
図１においては、第一の層（２）と第二の層（３）及び中間層（４）に囲まれた空間で形成される発音領域（５）に、空気を吸気あるいは排気するための空気口（７）をカード形成体（１）の端部に配置した例を示しているが、空気口（７）は、発音領域（５）のリード部（６）とは異なる位置に設けられていればよい。例えば、カード形成体（１）の端部ではなく、カードのおもて面あるいは裏面に空気口（７）を配置することも可能である。ただし、カード形成体（１）を呼気によって発音させる場合を考慮した場合、空気を吹き込む、あるいは吸い込む動作を容易に行うためには、空気口（７）はカードの端部に配置されているほうが好ましい。
【００２８】
図２を用いて、カード形成体（１）の原理について説明する。図２（ａ）のように、内向きのリード部（６）に対し空気口から空気が送りこまれる場合、リード部（６）の固定されてない側の間隙を空気が通り抜け、この間隙の空気の流れによってリードの固定されていない側は間隙を閉ざすように図２（ａ）の上方向（カード形成体の外部側）に吸い寄せられ、空気の流れが一時的に分断されると同時に、リード部（６）は、リード部（６）自身の弾力によって元の状態に戻る。この動作の繰り返しによってリード（６）は周期的に上下に振動し、さらにリード（６）の振動によってリード部（６）の周辺の空気も振動するため、これが音として聞こえる。また、図２（ｂ）に示すように外向きのリード部（６）に対し空気口から空気が吸い出される場合も、空気が送り込まれる場合と同様に空気の流れによるリード部（６）の周期的な振動によって、音が発生する。
【００２９】
本発明におけるカード形成体（１）は、カードを形成するシート状の基材の一部をリードとして用いるため、一般的なカードの製造方法である複数のシートの積層により製造が可能であり、従来技術である空気たまり口を形成する方法よりも容易に製造することができる。また、リードのサイズによって発音する音色を自由に設定することができるため、カード形成体毎に異なる音色を発するようにすれば、個々のカード形成体を音色によって識別することが可能であり、目の不自由な人にとっても有効な識別手段となり得る。さらに、身分証明書や運転免許証といった携行が義務つけられるようなカードへの適用も可能であり、カードを識別する機能に加え、緊急時の警笛としても利用可能である。
【００３０】
図３は、カード形成体（１）の別形態の概略を示す図である。図３に示すように、カード形成体（１）の発音領域（５）の第１の層（２）と第２の層（３）には、それぞれリード部（６）が設けられている。空気口（７）より送り込まれた空気によって、それぞれのリード（６）は発音するため、各リード（６）が異なる音色で発音する場合は和音となる。当然、各リードが同じ音で発音する場合は、リードが一つの場合に比べて大きな音が発音可能となる。
【００３１】
図４は、カード形成体（１）の別形態の概略を示す図である。図４に示すように、カード形成体（１）の発音領域（５）には、異なるサイズの２つのリード（６ａ、６ｂ）が設けられており、和音を発音することが可能である。また、図３で示したように第１の層（２）と第２の層（３）の両層にリードを施すことも可能であり、この場合は、複雑な和音を発音させることが可能である。
【００３２】
図５は、カード形成体（１）の別形態の概略を示す図である。図５に示すように、カード形成体（１）の発音領域（５）には、第１の層（２）と第２の層（３）には、それぞれリード部（６ｂ、６ａ）が設けられている。第１の層（２）に設けられたリード（６ｂ）は空気口から送り込まれる空気によって発音する構造であり、第２の層（３）に設けられたリード（６ａ）は空気口から吐き出される空気によって発音する構造である。この場合、人の呼気と吸気で発音可能となる。
【００３３】
図６は、カード形成体（１）の別形態の概略を示す図である。図６に示すように、リード部（６）はカード形成体（１）の表に設けられている。図６（ａ）はカード形成体（１）のおもて面に空気口（７）設けた例であり、図６（ｂ）はカード形成体（１）のうら面に空気口（７）を設けた例である。これらの例のように、発音領域（５）には、リード部（６）と空気口（７）が形成されていればよく、空気口（７）の位置はカード形成体（１）の端部だけでなく、任意の位置に配置することが可能である。
【００３４】
以下、前述の発明を実施するための形態にしたがって、具体的に作製したカード形成体の実施例について詳細に説明するが、本発明は、これに限定されるものではない。
【実施例１】
【００３５】
図７において、実際に作製した本発明について説明する。
【００３６】
まず、図７（ａ）に示すように、空間領域（４ａ）を形成するため、一般的なカードサイズ（約８５ｍｍ×５４ｍｍ）よりやや大きいサイズのＰＥＴＧフィルム（三菱樹脂製  ０．１５ｍｍ厚）の短辺の一部を、１２ｍｍ×６ｍｍの大きさで切り抜き、中間層（４）を形成するため、この短辺の一部を切り抜いたＰＥＴＧフィルムを４枚重ね合わせた。
【００３７】
次に、第１の層（２）及び第２の層（３）を形成するため、この短辺の一部を切り抜いた４枚重ねのＰＥＴＧフィルムの外側に、ポリカーボネートの表裏にＰＥＴＧが積層された複合フィルム（三菱樹脂製  ０．１ｍｍ厚）を重ね合わせ、自動プレス成形機（ダンベル社製  ＳＤＯＰ−１０４２−２ＨＣ−ＡＴ−ＷＣＩＶ−ＰＧ３型）を用い、各フィルムの層の密着性を高めるために、７５℃、１.０ＭＰａで６０秒間前プレス処理を行った後、１１０℃まで昇温し、２．５ＭＰａで３０秒間加圧してラミネートを行った。この際、空間領域（４ａ）となるＰＥＴＧの切り抜かれた部分の形状を維持するために、この部分に幅６ｍｍ、厚み０．６ｍｍのアルミ板（８）を挿入してラミネートした。
【００３８】
次に、リード部（６）を形成するため、空間領域（４ａ）の第２の層（３）に、図７（ｂ）に示すように、カード形成体（１）の短辺方向に第１のリード部長さ（Ｗ１）として一辺を約５ｍｍ、カード形成体（１）の長辺方向に第２のリード部長さ（Ｗ２）として二辺を約４ｍｍの切欠きを施した。発音領域（５）を形成するため、空間領域（４ａ）に挿入したアルミ板を抜き取った後、５４ｍｍ×８５．６ｍｍのカードサイズに打ち抜いてカード形成体（１）を作製した。
【００３９】
さらに、リード部（６）をカード形成体（１）の内側にわずかに湾曲させた。この理由については、発音を容易にするためであって、詳細については既に図２（ａ）において前述したように、空気口から空気が送りこまれることで、リード部（６）の固定されてない側の間隙を空気が通り抜け、この間隙の空気の流れによってリードの固定されていない側は間隙を閉ざすように、カード形成体の外部側（上方向）に吸い寄せられ、空気の流れが一時的に分断されると同時に、リード部（６）は、リード部（６）自身の弾力によって元の状態に戻りやすくするためである。つまり、リード部（６）を湾曲させない場合よりも、リード部（６）をわずかに湾曲させた方が、少ない空気の流れによってリード部（６）の周辺の空気を振動させて、発音を可能とするものである。
【００４０】
このカード形成体（１）の発音領域（５）の空気口（７）より空気を吹き込み発音できることを確認した。
【００４１】
また、同様に積層構成で作成したカード形成体（１）において、切欠きの長さを変えてリード部（６）を形成し、切欠きの長さが短い場合は、より高い音色、長い場合はより低い音色が発音可能であることを確認した。これらによって、異なるカードに異なる音を発する形状とすることで、聴覚によって複数のカードを、簡易に識別することができた。
【符号の説明】
【００４２】
１          カード形成体 
２          第一の層
３          第二の層
４          中間層
４ａ        空間領域
５          発音領域
６、６ａ、６ｂ          リード部
７          空気口
Ｗ１、Ｗ２          リード部長さ
【図１】
2015203757.tif 000003
【図２】
2015203757.tif 000004
【図３】
2015203757.tif 000005
【図４】
2015203757.tif 000006
【図５】
2015203757.tif 000007
【図６】
2015203757.tif 000008
【図７】
2015203757.tif 000009